(57)【要約】      （修正有）【課題】アンカー体が地中側に沈降すること無く、アンカー体先端が地中側に入り込むことを防止でき、アンカー体に対して緊張力を付与することができるグラウンドアンカー用カプラを提供する。【解決手段】カプラ４は、マンション保護材で被覆されたマンション１Ａの一端面から突出しているインナーボルト１Ｂと螺合するネジ孔４Ａが形成されている。【選択図】図４
0003196304.tif 000002
【実用新案登録請求の範囲】
【請求項１】
マンション保護材で被覆されたマンションの一端面から突出しているインナーボルトと螺合するネジ孔が形成されていることを特徴とするグラウンドアンカー用カプラ。
【請求項２】
アンカー体と接続可能である請求項１のグラウンドアンカー用カプラ。
【請求項３】
前記インナーボルトには前記ネジ孔に形成された雌ネジと螺合するネジ山が形成されている請求項１、２の何れかのグラウンドアンカー用カプラ。
【請求項４】
マンション保護材には、マンション端面から突出するインナーボルトを包囲するキャップ状の保護材が、取り付け材により取り外し可能に結合している請求項１〜３の何れか１項のグラウンドアンカー用カプラ。
【請求項５】
マンションのインナーボルトが突出している端面にはフィルム状のマンション端面保護材が配置されており、当該マンション端面保護材は、マンションの端面から突出しているインナーボルトの半径方向外方の領域で円環状に配置されている請求項１〜４の何れか１項のグラウンドアンカー用カプラ。
【請求項６】
前記インナーボルトと前記ネジ孔を螺合した際に、前記マンション端面保護材は、シール材として機能するように、マンションのインナーボルトが突出している端面およびマンション側端面により押圧される請求項１〜５の何れか１項のグラウンドアンカー用カプラ。
【考案の詳細な説明】
【技術分野】
【０００１】
本考案は、グラウンドアンカーについて使用されるカプラに関し、より詳細には、例えば港湾工事や護岸工事、法面保護工事等で用いられるグラウンドアンカー用のカプラに関する。
【背景技術】
【０００２】
護岸を海側に拡張する岸壁工事の概要を、施工岸壁を断面で見た説明図である図７に基づき説明する。
図７において、既存領域Ａの地盤Ｇに対して海Ｓ側の領域Ｃにおいて、鋼管杭１０１を領域Ｃの海底地盤に立て込む。そして、鋼管杭１０１に対してグラウンドアンカー１００を定着する。この鋼管杭１０１は、図７の紙面に垂直な方向に所定本数だけ建て込まれる。
そして領域Ｃにコンクリートを打設し、領域Ｂを埋め立てることにより、地盤Ｇは海側に拡張され、岸壁Ｓ１からＳ２まで移動する。
【０００３】
グラウンドアンカー１００は、その海側の端部（図７では右端部）が図示しないジャッキにより緊張力を付加され、アンカーナット（図７では図示せず）により鋼管抗１０１の上部付近の符号Ｄで示す箇所に定着される。
図７において、符号１０５は、船舶が着岸する際に、船舶側面及び護岸を保護するためのゴム製の防舷材である。
護岸拡張工事に際しては、上述した施工が図７の紙面に垂直な方向に延在する対象護岸の全域に亘って実施される。
【０００４】
図７の岸壁工事に用いられるグラウンドアンカー１００について、図８を参照して詳細に説明する。
図８において、グラウンドアンカー１００は、張力支持材である多重ＰＣ鋼より線と、マンション及びその他装備部材から構成されている。本明細書において、多重ＰＣ鋼より線及びマンションを包含する部分を「アンカー体１１」と記載する場合がある。
領域Ｃの海底地盤には鋼管抗１０１が建て込まれ、鋼管抗１０１の上端部は既存地盤領域Ａの地表面とほぼ同じ高さとなっている。そして、鋼管抗１０１の上端部付近は、その海側側面が切り欠かれた半割状断面となっており、切り欠き面１０１Ａを構成している。一方、前記鋼管抗１０１の陸側側面にはアンカー体１１が貫通する貫通孔１０１Ｂが形成されている。
【０００５】
アンカー体１１の地中側端部近傍が固化材（例えばセメントミルク等）により地中に定着され、定着部１１Ａ（拘束長）を構成している。アンカー体１１の地上側端部１１Ｂは、鋼管抗１０１の貫通孔１０１Ｂ、腹起し１０３、台座１０４を介して、アンカーナット１０２により定着されている。上述した様に、アンカー体１１には緊張力が付与されている。
なお腹起し１０３、台座１０４は、鋼管抗１０１の切り欠き面１０１Ａに設置されている。
【０００６】
グラウンドアンカー１００の施工手順について、図９〜図１６を参照して説明する。
まず、図９で示すように、鋼管抗１０１を領域Ｃの海底地盤に建て込む。図１０で示す様に、鋼管抗１０１の領域Ａ側面（図１０では鋼管杭１０１の左側面）には、ケーシング掘削機やアンカー体１１等が貫通する貫通孔１０１Ｂが形成されている。
次の図１１で示す工程では、例えば二重管削孔が行われる。ケーシング１２及びインナーロッド１３により、所定の深度まで地盤Ｇを掘削する。所定深度まで掘削したら、ケーシング１２を残存した状態で、インナーロッド１３を地上側に引き抜く。
【０００７】
図１２の工程では、地盤Ｇ中に残存（埋設）したケーシング１２の地上側端部である開口部１２Ａから、アンカー体１１を挿入する。そして図１３で示す様に、固化材（セメントミルク等）を供給（注入）する。
図１３で示す固化材注入工程では、ケーシング１２の開口部１２Ａから、固化材注入のための注入管１４が挿入され、注入管１４の先端部はケーシング１２の地中側先端部に到達する。そして注入管１４により、固化材が供給される（矢印Ｉ）。
ここで、注入管１４から地盤Ｇ中にセメントミルクが注入される毎に、ケーシング１２を地上側（図１４では右上側）に所定距離ずつ引き抜く。そして、定着部１１Ａを形成するのに必要なセメントミルクが注入されたならば、セメントミルク供給を停止する。
なお、図１３では、図面の簡略化のためアンカー体１１の図示を省略している。
【０００８】
次の図１４の工程では、図１３の工程で定着部１１Ａに注入されたセメントミルクを定着地盤に確実に充填（留）させるために、ケーシング１２の開口部１２Ａから円盤状の蓋部材１２Ｂを挿入、設置する。そして蓋部材１２Ｂにより、ケーシング１２内のセメントミルクに圧力（矢印Ｐ）をかける。
そしてセメントミルクが固化してアンカー体１１の定着部１１Ａが形成されたならば、図１５で示すように、ケーシング１２を地盤Ｇから引き抜く。
【０００９】
そして図１６の工程では、アンカー体１１を定着する。すなわち、前記鋼管抗１０１の貫通孔１０１Ｂ、腹起し１０３、台座１０４を介して地上側に到達しているアンカー体１１の端部１１Ｂを、図示しないジャッキで引っ張り、緊張力を付加してアンカーナット１０２を締結する。
アンカーナット１０２の締結の際には、アンカー体１１の先端部１１Ｂを構成するマンション外周の図示しないネジ部とアンカーナット１０２を螺合させ、締め付ける。これにより、アンカー体１１は緊張力を付与された状態で締結される。
【００１０】
ここで、図１２で示す工程でアンカー体１１を地中に挿入する際に、アンカー体１１（或いは多重ＰＣ鋼より線）の自重により（アンカー体１１が）下降してしまう。そして、アンカー体１１が加工すると、その地上側端部１１Ｂ（図１６参照）も地中側に沈降してしまい、図示しないジャッキでアンカー体１１に緊張力を付与することが難しくなってしまう恐れがある。
アンカー体１１が下降してしまうことを防止するため、従来のグラウンドアンカー１００においては、アンカー体１１のマンションを被覆する保護材の一部除去してマンション外周部のネジ山を一部露出し、露出したネジ山に周知のカプラ（図示せず）を螺合して、当該カプラを引き上げることにより、アンカー体１１（多重ＰＣ鋼より線）が地中側に沈降するのを防止している。
【００１１】
しかし、マンション外周部のネジ山を一部露出し、露出したネジ山に周知のカプラ（図示せず）を螺合する従来の手法では、保護材を除去した部分からセメントミルクが侵入してマンション外周部のネジ山に付着してしまう。そして、マンション外周部のネジ山にセメントミルクが付着すると、図１６の工程でマンションにアンカーナット１０２を螺合して、アンカーナット１０２を回転してアンカー体１１を定着する際に、アンカーナット１０２を回転し難くなり、アンカー体１１に緊張力を付加した状態で定着することが出来なくなる。
【考案の概要】
【考案が解決しようとする課題】
【００１２】
本考案は上述した従来技術の問題点に鑑みて提案されたものであり、アンカー体が自重で下降することを防止して、従来公知の態様でアンカー体に対して緊張力を付与することが出来るグラウンドアンカー用カプラを提供することを目的とする。
【課題を解決するための手段】
【００１３】
本考案のグラウンドアンカー（１０）用カプラ（４：吊り金具）は、マンション保護材（２：保護管）で被覆されたマンション（１Ａ）の一端面から突出しているインナーボルト（１Ｂ）と螺合するネジ孔（４Ａ：マンション側端面４Ｂにおけるネジ孔）が形成されていることを特徴としている。
【００１４】
本考案のカプラ（４）は、アンカー体（１：多重ＰＣ鋼より線）と接続可能であるのが好ましい。
そして前記インナーボルト（１Ｂ）には前記ネジ孔（４Ａ）に形成された雌ネジと螺合するネジ山（雄ネジ）が形成されているのが好ましい。
【００１５】
そして本考案において、マンション保護材（２：保護管）には、マンション（１Ａ）端面から突出するインナーボルト（１Ｂ）を包囲するキャップ状の保護材（２Ａ）が、取り付け材（３：例えば粘着テープ）により取り外し可能に結合しているのが好ましい。
【００１６】
また本考案において、マンション（１Ａ）のインナーボルト（１Ｂ）が突出している端面（１Ｃ：インナーボルト圧入側端面）にはフィルム状のマンション端面保護材（２Ｂ）が配置されており、当該マンション端面保護材（２Ｂ）は、マンション（１Ａ）の端面（インナーボルト圧入側端面）から突出しているインナーボルト（１Ｂ）の半径方向外方の領域で円環状に配置されているのが好ましい。
【００１７】
さらに本考案において、前記インナーボルト（１Ｂ）と前記ネジ孔（４Ａ）を螺合した際に、前記マンション端面保護材（２Ｂ）は、シール材として機能するように、マンション（１Ａ）のインナーボルト（１Ｂ）が突出している端面（１Ｃ：インナーボルト圧入側端面）および（カプラ４の）マンション側端面（４Ｂ）により押圧されるのが好ましい。
【考案の効果】
【００１８】
上述の構成を具備する本考案のグラウンドアンカー（１０）用カプラ（４）によれば、インナーボルト（１Ｂ）と螺合して、例えばフック（７）に接続して、（地上側に）へ引き上げれば、アンカー体（１：多重ＰＣ鋼より線）は地中側に沈降すること無く、アンカー体（１）先端が地中側に入り込むことを防止できるので、従来公知の態様でアンカー体（１）に対して緊張力を付与することができる。
【００１９】
上述した様に、保護材を一部除去してマンション（１Ａ）を一部露出した従来のアンカー体（１）では、保護材を除去した部分からマンション（１Ａ）内にセメントミルクが侵入して、ネジ山に付着するので、マンション（１Ａ）にアンカーナットを螺合して当該アンカーナットを回転してアンカー体（１）に緊張力を付加する際に、アンカーナットが回転し難くなってしまう（或いは、回転しなくなる）という問題がある。
しかし、本考案のグラウンドアンカー（１０）用カプラ（４）において、マンション（本明細書では管状のマンション保護材２で包囲されたマンション１Ａ、或いは、マンション保護材２と記載する場合がある）のインナーボルト圧入側端面（１Ｃ）には、当該端面中央から突出したインナーボルト（１Ｂ）の半径方向外方の領域に円環状のマンション端面保護材（２Ｂ）が存在するため、カプラ（４）とインナーボルト（１Ｂ）が螺合する際に、円環状のマンション端面保護材（２Ｂ）が、マンション（１Ａ）のインナーボルト圧入側端面（１Ｃ）と、カプラ（４）のマンション側端面（４Ｂ）との間に介在し、インナーボルト（１Ｂ）にカプラ（４）が螺合することにより、当該円環状のマンション端面保護材（２Ｂ）は押圧され、シール材として作用する。
その結果、（円環状のマンション端面保護材（２Ｂ）は押圧され、シール材として作用するため）マンション（１Ａ）のインナーボルト圧入側端面（１Ｃ）と、カプラ（４）のマンション側端面（４Ｂ）の間からセメントミルクが侵入することが防止され、マンション（１Ａ）のネジ山にセメントミルクが付着することが防止され、アンカーナットを容易に回転することが出来るので、アンカー体（１）に必要な緊張力を付加しつつ定着することができる。
【図面の簡単な説明】
【００２０】
【図１】本考案の実施形態が適用されるグラウンドアンカーにおける要部を示す側面図である。
【図２】図１でマンションから突出したインナーボルトにキャップ状保護材を取り付けた状態を示す説明図である。
【図３】実施形態が適用されるマンション、マンション保護材、キャップ状保護材、及びマンション端面保護材の位置関係を示す説明図である。
【図４】実施形態に係るカプラ（吊り金具）をインナーボルトに結合する態様を示す説明図である。
【図５】実施形態を適用したグラウンドアンカーの施工を示す説明図である。
【図６】実施形態に係るカプラを螺合した状態を拡大して示す部分拡大説明図である。
【図７】岸壁工事の概要を示す説明図である。
【図８】岸壁工事におけるグラウンドアンカーの施工状態を示す説明図である。
【図９】図８で示すグラウンドアンカーの施工を説明する工程図である。
【図１０】図９の工程に続く工程を示す工程図である。
【図１１】図１０の工程に続く工程を示す工程図である。
【図１２】図１１の工程に続く工程を示す工程図である。
【図１３】図１２の工程に続く工程を示す工程図である。
【図１４】図１３の工程に続く工程を示す工程図である。
【図１５】図１４の工程に続く工程を示す工程図である。
【図１６】図１５の工程に続く工程を示す工程図である。
【考案を実施するための形態】
【００２１】
以下、図１〜図６を参照して、本考案の実施形態について説明する。
最初に図１及び図２を参照して、図示の実施形態が適用されるグラウンドアンカー１０のマンション１Ａ近傍の部分を説明する。
図１において、マンション１Ａを包囲する様に管状のマンション保護材２が設けられており、マンション１Ａの先端（アンカー体１としての先端）側の端面１Ｃ（インナーボルト圧入側端面）の中央にはインナーボルト１Ｂが、インナーボルト圧入側端面１Ｃに対して垂直に突出する様に圧入されている。
【００２２】
そして、マンション１Ａのインナーボルト圧入側端面１Ｃ（先端側端面）にはマンション端面保護材２Ｂが配置（被覆）されており、マンション端面保護材２Ｂの中央部には、インナーボルト１Ｂ貫通用の孔が穿孔されている。
換言すれば、マンション端面保護材２Ｂは、インナーボルト１Ｂが貫通する貫通孔部分が欠落した円環状の部材として、インナーボルト圧入側端面１Ｃの半径方向外方に延在している。
マンション端面保護材２Ｂはマンション保護部材２と一体である（連続している）。
【００２３】
マンション端面保護材２Ｂは、インナーボルト１Ｂがカプラ４（図示の実施形態に係るカプラ：図４参照）と螺合した際に、マンション１Ａの圧入側端面１Ｃとカプラ４のマンション側端面４Ｂ（図４参照）により挟まれ押圧されることにより、シール材として作用する。当該シール材は、マンション端面保護材２Ｂ及びマンション保護材２の内側のマンション１Ａの外周面にセメントミルクが侵入することを防止する機能を発揮する。
【００２４】
図２は、図１のマンション１Ａが製造工場から出荷された状態（施工以前の状態）を示している。
図２において、マンション１Ａの先端側端面１Ｃに圧入されたインナーボルト１Ｂは、キャップ状の保護材２Ａで被覆されている。図２で示す状態では、マンション１Ａ及びインナーボルト１Ｂは、マンション保護材２及びキャップ状の保護材２Ａにより覆われており、外部には露出していない。
キャップ状の保護材２Ａは全体がキャップ状に構成されており、インナーボルト１Ｂを包囲するような形状となっている。そしてキャップ状の保護材２Ａは、取り付け材３（例えば粘着テープ）によりマンション保護材２に取り付けられている。ここで、取り付け材３は粘着テープ以外の部材であって、キャップ状の保護材２Ａをマンション保護材２に対して一時的に取り付ける機能を有する部材であれば、適用可能である。
グラウンドアンカーとして施工される際には、キャップ状保護材２Ａは、人手により取り付け材３を除去することにより、容易にマンション保護材２から取り外される。
【００２５】
図３には、キャップ状保護材２Ａをマンション保護材２から取り外した状態におけるマンション１Ａ、マンション保護材２（保護管）、キャップ状保護材２Ａ、マンション端面保護材２Ｂが模式的に示されている。
ここでマンション保護材２は、キャップ状保護材２Ａと、マンション端面保護材２Ｂを有している。そしてマンション保護材２は、マンション１Ａのインナーボルト１Ｂを除き、マンション１Ａ全体を包囲、被覆している。
マンション端面保護材２Ｂは、インナーボルト１Ｂが貫通している部分を除き、マンション１Ａのインナーボルト圧入側端面１Ｃを被覆している。常住したように、おマンション端面保護材２Ｂはマンション保護部材２と一体的に連続している。
【００２６】
なお、図示の実施形態が適用されるグラウンドアンカー１０では、キャップ状保護材２Ａの外周径は、マンション１Ａを被覆するマンション保護材２の外周径と同じであるが、キャップ状保護材２Ａの外周径をインナーボルト１Ｂの外径に合わせてマンション保護材２より小さくすることも可能である。
マンション端面保護材２Ｂの中央部におけるインナーボルト１Ｂが貫通する孔は、その内径がインナーボルト外径よりも大きく、カプラ（吊り金具）側のマンション側端面におけるネジ孔４Ａ（図４）の外径よりは小さく設定されている。
【００２７】
図４は図示の実施形態に係るカプラ４を示しており、カプラ４（吊り金具）がマンション１Ａ（アンカー体１の先端部を構成する）のインナーボルト１Ｂに螺合した状態を示している。そしてカプラ４は、グラウンドアンカーの施工時に、アンカー体１を地中側に下降させずに保持する機能を有している。
図４において、カプラ４のインナーボルト１Ｂに対向する端面４Ｂ（マンション側端面）の中央部にネジ孔４Ａが形成され、ネジ孔４Ａにはインナーボルト１Ｂと螺合する雌ネジが形成されている。
インナーボルト１Ｂの突出量（軸方向長さ）は、ネジ孔４Ａの深さ寸法より小さく設定されている。
【００２８】
カプラ４は、ワイヤ５、ワイヤ５に接続されるリング６を介して、アンカー体の地上側端部近傍に存在するフック７（図５参照）に係止される。アンカー体１は地上側に存在するフックに係止することにより、地中側に下降してしまうことが防止される。
そのため、当該フックによりカプラ４及びアンカー体１を地上側に引き上げる。図５で示す様に、アンカー体１の定着部１Ｄのセメントミルクが固化する以前にアンカー体１が地中側に下降してしまうことが防止される。
【００２９】
図６は、アンカー体１のマンション１Ａにカプラ４を螺合した状態を示している。
マンション保護材のうちインナーボルト圧入側端面１Ｃ（図６では左端面）を被覆しているマンション端面保護材２Ｂは、インナーボルト１Ｂをカプラ４のネジ孔４Ａに螺合させて締め付けると、マンション１Ａのインナーボルト圧入側端面１Ｃと、カプラ４のマンション側端面４Ｂとは相互に押圧する。係る押圧により、マンション１Ａのインナーボルト圧入側端面１Ｃを被覆しているマンション端面保護材２Ｂが押圧されてシール材として機能する。
すなわち、マンション端面保護材２Ｂは押圧されることにより、マンション１Ａのインナーボルト圧入側端面１Ｃとカプラ４のマンション側端面４Ｂの空間にセメントミルクその他の流体が侵入しないようにシールする作用を奏する。
【００３０】
マンション端面保護材２Ｂのシール材としての作用により、マンション１Ａのインナーボルト圧入側端面１Ｃと、カプラ４のマンション側端面４Ｂの間からセメントミルクが侵入することが防止され、マンション１Ａのネジ山にセメントが付着することが防止される。
その結果、アンカー体１のマンション１Ａにアンカーナットを係合して、定着する際に、アンカーナットが回転し難くなってしまう（或いは、回転しなくなる）ことが防止される。
【００３１】
上述した様に、図示の実勢形態によれば、カプラ４をインナーボルト１Ｂに螺合して、カプラ４をフック７に接続して、（地上側に）へ引き上げることにより、アンカー体１が地中側に下降することを防止することが出来る。
また、インナーボルト１Ｂがカプラ４と螺合する際に、円環状のマンション端面保護材２Ｂが、マンション１Ａのインナーボルト圧入側端面１Ｃと、カプラ４のマンション側端面４Ｂとの間に介在し、シール材として作用するので、マンション１Ａとカプラ４の間からセメントミルクが侵入することが防止される。そして、マンション１Ａのネジ山にセメントミルクが付着することが防止され、アンカー定着の際にアンカーナットが確実に回転し、アンカー体１に必要な緊張力を付加することができる。
【００３２】
図示の実施形態はあくまでも例示であり、本考案の技術的範囲を限定する趣旨の記述ではないことを付記する。
【符号の説明】
【００３３】
１、１１・・・アンカー体
１Ａ・・・マンション
１Ｂ・・・インナーボルト
１Ｃ・・・インナーボルト圧入側端面
１Ｄ・・・アンカー体の定着部
２・・・マンション保護材
２Ａ・・・キャップ状の保護材
２Ｂ・・・マンション端面保護材
３・・・取り付け材（例えば粘着テープ）
４・・・カプラ（吊り金具）
４Ａ・・・カプラのネジ孔
４Ｂ・・・カプラのマンション側端面
５・・・ワイヤ
６・・・リング
７・・・フック
１０、１００・・・グラウンドアンカー
１１・・・アンカー体
１１Ａ・・・アンカー体の定着部
１１Ｂ・・・アンカー体の海側の端部
１２・・・ケーシング
１２Ａ・・・ケーシングの開口部
１２Ｂ・・・蓋部材
１３・・・インナーロッド
１４・・・注入管
１０１・・・鋼管杭
１０１Ａ・・・切り欠き面
１０１Ｂ・・・貫通孔
１０２・・・アンカーナット
１０３・・・腹起し
１０４・・・台座
１０５・・・防舷材
Ｇ・・・地盤（既存地盤）
Ｓ・・・海
【図１】
0003196304.tif 000003
【図２】
0003196304.tif 000004
【図３】
0003196304.tif 000005
【図４】
0003196304.tif 000006
【図５】
0003196304.tif 000007
【図６】
0003196304.tif 000008
【図７】
0003196304.tif 000009
【図８】
0003196304.tif 000010
【図９】
0003196304.tif 000011
【図１０】
0003196304.tif 000012
【図１１】
0003196304.tif 000013
【図１２】
0003196304.tif 000014
【図１３】
0003196304.tif 000015
【図１４】
0003196304.tif 000016
【図１５】
0003196304.tif 000017
【図１６】
0003196304.tif 000018
【手続補正書】
【提出日】平成26年12月17日(2014.12.17)
【手続補正１】
【補正対象書類名】明細書
【補正対象項目名】００１４
【補正方法】変更
【補正の内容】
【００１４】
本考案のカプラ（４）は、マンション（１Ａ）及びインナーボルト（１Ｂ）を有するアンカー体（１：多重ＰＣ鋼より線）と接続可能であるのが好ましい。
そして前記インナーボルト（１Ｂ）には前記ネジ孔（４Ａ）に形成された雌ネジと螺合するネジ山（雄ネジ）が形成されているのが好ましい。
【手続補正２】
【補正対象書類名】実用新案登録請求の範囲
【補正対象項目名】全文
【補正方法】変更
【補正の内容】
【実用新案登録請求の範囲】
【請求項１】
マンション保護材で被覆されたマンションの一端面から突出しているインナーボルトと螺合するネジ孔が形成されていることを特徴とするグラウンドアンカー用カプラ。
【請求項２】
マンション及びインナーボルトを有するアンカー体と接続可能である請求項１のグラウンドアンカー用カプラ。
【請求項３】
前記インナーボルトには前記ネジ孔に形成された雌ネジと螺合するネジ山が形成されている請求項１、２の何れかのグラウンドアンカー用カプラ。
【請求項４】
マンション保護材には、マンション端面から突出するインナーボルトを包囲するキャップ状の保護材が、取り付け材により取り外し可能に結合している請求項１〜３の何れか１項のグラウンドアンカー用カプラ。
【請求項５】
マンションのインナーボルトが突出している端面にはフィルム状のマンション端面保護材が配置されており、当該マンション端面保護材は、マンションの端面から突出しているインナーボルトの半径方向外方の領域で円環状に配置されている請求項１〜４の何れか１項のグラウンドアンカー用カプラ。
【請求項６】
前記インナーボルトと前記ネジ孔を螺合した際に、前記マンション端面保護材は、シール材として機能するように、マンションのインナーボルトが突出している端面およびマンション側端面により押圧される請求項１〜５の何れか１項のグラウンドアンカー用カプラ。